(57)【要約】      （修正有）【課題】短期間に容易に量産することができ、かつ、包装本体の底面の部分およびその近傍の部分の破損を効果的に抑制することができる包装体を提供する。【解決手段】  包装体１００は、被包装物を包装する包装本体１３と、包装本体に取り付けられた紐状又はベルト状の運搬用部材を備え、包装本体の互いに対向する第一の側面と第二の側面のそれぞれに、複数の切れ込み又は開口が形成されており、運搬用部材は、包装本体の底面を構成する部分の下面に当接した状態で下面に沿って延び、かつ、第一の側面に形成された複数の切れ込み又は開口を通じて、運搬用部材が部分的に包装本体の内部を通され、さらに、第二の側面に形成された複数の切れ込み又は開口を通じて、運搬用部材が部分的に包装本体の内部を通されている。【選択図】図１
0003232178.tif 000002
【実用新案登録請求の範囲】
【請求項１】
被包装物を包装する包装本体と、
前記包装本体に取り付けられた紐状又はベルト状の運搬用部材を備えた包装体であって、
前記包装本体の互いに対向する第一の側面と第二の側面のそれぞれに、複数の切れ込み又は開口が形成されており、
前記運搬用部材は、前記包装本体の底面を構成する部分の下面に当接した状態で下面に沿って延び、かつ、
前記第一の側面に形成された複数の切れ込み又は開口を通じて、前記運搬用部材が部分的に前記包装本体の内部を通され、さらに、前記第二の側面に形成された複数の切れ込み又は開口を通じて、前記運搬用部材が部分的に前記包装本体の内部を通されていることを特徴とする包装体。
【請求項２】
前記第一の側面に形成され、前記運搬用部材が通された複数の切れ込み又は開口が上下に並び、
前記第二の側面に形成され、前記運搬用部材が通された複数の切れ込み又は開口が上下に並ぶことを特徴とする請求項１に記載の包装体。
【請求項３】
前記包装本体が断熱素材によって形成されたことを特徴とする請求項１または２に記載の包装体。
【請求項４】
前記包装本体が、略平面状に広げられた状態から略直方体状をなすように組み立て可能に構成されており、前記包装本体は、組み立てられた状態で隣り合う２側面を構成する部分同士を繋ぐ遮蔽部を備えたことを特徴とする請求項１ないし３のいずれか１項に記載の包装体。
【考案の詳細な説明】
【技術分野】
【０００１】
本考案は、食品や血液、ワクチンなどを包装し、容易に運搬可能にする包装体に関するものである。
【背景技術】
【０００２】
従来、食品や血液、予防接種に用いるワクチンなどを、適切な温度に保冷または保温しつつ、人の手により容易に運搬したいという需要があった。以下、食品や血液、予防接種に用いるワクチンなど、運搬の目的（対象）となるものを「被運搬物」という。
【０００３】
被運搬物を適切な温度に保冷または保温するという面では、発泡スチロールなどの断熱性を有する箱の中に、これらの被運搬物と、その被運搬物に適した温度の保冷剤または蓄熱材を収容することによって、温度変化をある程度抑制することが可能である。
【０００４】
しかしながら、直射日光に照らされると、断熱性を有する箱に収容するか否かに関わらず、被運搬物の温度が上昇してしまうことがあるため、被運搬物もしくは被運搬物を収容した箱のほぼ全体を、布や段ボール、樹脂などにより形成されたバッグ、カバーまたは容器などの包装体で包装する（覆う）ことが必要である（本明細書においては、包装体が包装するものを「被包装物」という。したがって、被運搬物を直に包装する場合には、「被運搬物」は「被包装物」でもあり、被運搬物を発泡スチロールの箱に収容し、その箱を包装体によって包装した場合には、被運搬物が収容された発泡スチロールの箱が「被包装物」である。）。
【０００５】
また、単に包装体で被運搬物のほぼ全体もしくは被運搬物を収容した箱のほぼ全体を覆っただけでは、運搬がしづらいため、被運搬物を包装する部分である包装本体と、テープや紐、ベルト、バンドなどの運搬を容易にする運搬用部材の両方を備えた包装体が求められていた。
【０００６】
さらに、被運搬物もしくは被運搬物を収容した箱を運搬する間に、包装本体が破損してしまうと、被運搬物もしくは被運搬物を収容した箱が包装本体から落下してしまうおそれがあるため、包装本体の特に底面の部分およびその近傍には、高い強度が必要であった。
【０００７】
このような状況に照らして、たとえば特許文献１には、被運搬物を包装（収容）する包装本体に、運搬用部材としてのショルダーベルトが取り付けられ、かつ、包装本体の生地に強度を持たせた包装体（保冷ボックス）が開示されている（図５参照）。この包装体においては、包装本体の互いに対向する二側面に、ショルダーベルトの両端部がそれぞれ縫着されている。
【先行技術文献】
【特許文献】
【０００８】
【特許文献１】特開２０１９−１８１７７１号公報
【考案の概要】
【考案が解決しようとする課題】
【０００９】
ところで、昨今、新型コロナウイルスのワクチン接種開始の影響によって、運搬用部材を備えた包装体の需要が急速に高まっている。しかしながら、特許文献１に記載された包装体の場合には、運搬用部材を包装本体に縫着するのに時間を要し、短期間に大量の包装体を製造することが困難であった。
【００１０】
したがって、本考案は、短期間に容易に量産することができ、かつ、包装本体の底面の部分およびその近傍の部分の破損を効果的に抑制することができる包装体を提供することを目的とするものである。
【課題を解決するための手段】
【００１１】
本考案のかかる目的は、
被包装物を包装する包装本体と、
前記包装本体に取り付けられた紐状又はベルト状の運搬用部材を備えた包装体であって、
前記包装本体の互いに対向する第一の側面と第二の側面のそれぞれに、複数の切れ込み又は開口が形成されており、
前記運搬用部材は、前記包装本体の底面を構成する部分の下面に当接した状態で下面に沿って延び、かつ、
前記第一の側面に形成された複数の切れ込み又は開口を通じて、前記運搬用部材が部分的に前記包装本体の内部を通され、さらに、前記第二の側面に形成された複数の切れ込み又は開口を通じて、前記運搬用部材が部分的に前記包装本体の内部を通されていることを特徴とする包装体によって達成される。
【００１２】
本考案によれば、運搬用部材が、包装本体の底面の下面に当接した状態で下面に沿って延び、かつ、包装本体の対向する２側面のそれぞれに形成された複数の切れ込み又は開口を通じて、運搬用部材が包装本体の内部に部分的に通されているから、それだけで、運搬用部材を包装本体に着実に取り付けることができ、したがって、運搬用部材を包装本体に縫着する必要がなく、包装体を短期間に容易に量産することができる。
【００１３】
また、本考案によれば、運搬用部材が、包装本体の底面の部分の下面に当接した状態で下面に沿って延びるように包装本体に取り付けられており、包装本体の底面の部分が運搬用部材によって下方から支持されるから、包装本体の底面の部分およびその近傍の部分の強度を確保し、その破損を効果的に抑制することができる。
【００１４】
本考案の好ましい実施態様においては、
前記第一の側面に形成され、前記運搬用部材が通された複数の切れ込み又は開口が上下に並び、
前記第二の側面に形成され、前記運搬用部材が通された複数の切れ込み又は開口が上下に並んでいる。
【００１５】
本考案のこの好ましい実施態様によれば、包装本体の互いに対向する２側面に形成され、運搬用部材が通された複数の切れ込み又は開口が、上下に並ぶように形成されているから、複数の切れ込み又は開口が水平方向における位置を互いに異にして形成された場合に比して、被包装物の重量又は運搬者が運搬用部材を引っ張り上げたことによって包装本体の２側面にかかる負荷を軽減させることができる。
【００１６】
本考案のさらに好ましい実施態様においては、
前記包装本体が断熱素材によって形成されている。
【００１７】
本考案のさらに好ましい実施態様においては、
前記包装本体が、略平面状に広げられた状態から略直方体状をなすように組み立て可能に構成されており、前記包装本体は、組み立てられた状態で隣り合う２側面を構成する部分同士を繋ぐ遮蔽部を備えている。
【００１８】
本考案のこの好ましい実施態様によれば、包装本体が、略平面状に広げられた状態から組み立てられるように構成されているため、包装体を使用していないときに嵩張らない。
【００１９】
また、本考案のこの好ましい実施態様によれば、包装本体が、組み立てられた状態でその側面を構成する部分同士を繋ぐ遮蔽部を備えているから、略平面状に広げられた状態から組み立てられる包装本体においても、包装本体の内部に側面間から異物が混入する事態を防止することができる。
【００２０】
さらに、包装本体が断熱素材によって形成された場合には、包装本体の内側と外側との間で、側面間から熱交換が生じることを防止することができ、包装本体の断熱性能を向上させることができる。
【考案の効果】
【００２１】
本考案によれば、短期間に容易に量産することができ、かつ、包装本体の底面の部分およびその近傍の部分の破損を効果的に抑制することができる包装体を提供することが可能になる。
【図面の簡単な説明】
【００２２】
【図１】図１（ａ）は、本考案の好ましい実施態様にかかる包装体の略斜視図であり、図１（ｂ）は、図１（ａ）に示されたＸ−Ｘ線に沿った包装体の模式的縦断面図である。
【図２】図２は、図１に示された実施態様にかかる包装本体の内側の面を示す展開図である。
【図３】図３は、図１に示された実施態様にかかる包装本体の外側の面を示す展開図である。
【図４】図４は、図１に示された実施態様にかかる包装本体が組み立てられる途中の状態を示す略斜視図である。
【図５】図５（ａ）は、本考案の他の好ましい実施態様にかかる包装体の略斜視図であり、図５（ｂ）は、図５（ａ）に示された実施態様にかかる包装本体の外側の面を示す展開図である。
【考案を実施するための形態】
【００２３】
以下、添付図面に基づいて、本考案の好ましい実施態様につき、詳細に説明を加える。
【００２４】
図１（ａ）は、本考案の好ましい実施態様にかかる包装体１００の略斜視図であり、図１（ｂ）は、図１（ａ）に示されたＸ−Ｘ線に沿った包装体１００の模式的縦断面図である。
【００２５】
図１（ａ）および図１（ｂ）には、包装本体１３が被包装物を包装した状態（包装本体１３によって被包装物が包装された状態）が示されている。
【００２６】
図１（ａ）に示されるように、包装体１００は、被包装物を包装する包装本体１３と、包装本体１３に取り付けられた１本のベルト４０を備え、ベルト４０を肩に掛けることによって、運搬者が被包装物を容易に運搬できるように構成されている。なお、運搬者は、包装体１００のベルト４０を手に把持して運搬することも可能である。
【００２７】
本実施態様にかかる包装本体１３は、ポリエチレン製クロスシートの外側の表面にアルミ蒸着がされたポリエチレンテレフタレートフィルム（ＰＥＴフィルム）を貼り合わせて形成されており、外部からの光を反射し、被包装物の温度上昇を防止することができるように構成されている。すなわち、包装本体１３は、断熱素材によって形成されている。また、本実施態様においては、包装本体１３は略直方体状に組み立ておよび略平面状に展開可能に構成されており、略直方体状に組み立てられる際に、被包装物（図２（ａ）参照）が包装本体１３によって包装される。
【００２８】
一方、包装本体１３が包装する被包装物は、本実施態様においては略直方体状をなす発泡スチロール製の箱（図１（ｂ）および図２（ｂ）参照）であり、その内部に、保冷剤および食品が収容されている。被包装物の外寸法は、組み立てられた包装本体１３の内寸法よりも僅かに小さいサイズに構成されている。
【００２９】
ベルト４０には、図１（ａ）および図１（ｂ）に示されるように、その長さを調節するアジャスター４１が設けられている。アジャスター４１には、縫製することなくベルト４０に取付け可能なタイプのものが採用されている。
【００３０】
本実施態様にかかる包装体１００においては、縫製することなく、ベルト４０を包装本体１３に取付け可能に構成されており、以下に、包装本体１３と、包装本体１３にベルト４０を取り付ける方法について詳細に説明を加える。
【００３１】
図２は、図１に示された実施態様にかかる包装本体１３の内側の面を示す展開図である。
【００３２】
詳細には、図２（ａ）は、包装本体１３の内側の面（包装される被包装物に対向する面）を示す展開図であり、ベルト４０が取り外された状態が示されている。また、図２（ｂ）は、ベルト４０が取り付けられた包装本体１３の内側の面を示す展開図である。
【００３３】
一方、図３は、図１に示された実施態様にかかる包装本体１３の外側の面を示す展開図であり、ベルト４０が取り付けられた状態が示されている。
【００３４】
なお、図２および図３においては、組み立てられる際に、包装本体１３の山折りされる部分が一点鎖線で、谷折りされる部分が二点鎖線でそれぞれ示されている。
【００３５】
図２（ａ）、図２（ｂ）および図３に示されるように、本実施態様においては、包装本体１３は、領域１ないし領域１２の計１２の略矩形の領域と、領域１から連続的に僅かに延びる前垂れ部１４を備え、左右対称に構成されている。包装本体１３が組み立てられると（図１（ａ）および図１（ｂ）参照）、領域１は包装本体１３の天面（蓋）を、領域７は底面を、領域３は後ろ側面を、領域１１は前側面を、領域６は左側面を、領域８は右側面を構成する。包装本体１３の左右の側面を構成する領域６と領域８は、図１（ｂ）に示されるように互いに対向し、領域６は第一の側面に、領域８は第二の側面に相当する。
【００３６】
４つの領域２，４，１０および１２は、包装本体１３が組み立てられた際に、隣り合う側面間に隙間が生じることを防止するために設けられており、包装本体１３の内側に折り込まれる（図４（ｂ）参照）。４つの領域２，４，１０および１２はそれぞれ、本考案の遮蔽部に相当するものである。
【００３７】
図１（ｂ）および図２（ａ）に示されるように、包装本体１３の左側面となる領域６には、カッターによって、前後方向に延びる第一の切れ込み２１および第二の切れ込み２２が形成されており、包装本体１３の右側面となる領域８には、カッターによって、前後方向に延びる第三の切れ込み２３および第四の切れ込み２４が形成されている。
【００３８】
本実施態様においては、第一の切れ込み２１は領域６の下部に、第三の切れ込み２３は領域８の下部にそれぞれ形成され、第二の切れ込み２２は領域６における第一の切れ込み２１の上方の位置に、第四の切れ込み２４は領域８における第三の切れ込み２３の上方の位置にそれぞれ形成されている。なお、ここに言う上方とは、図１（ａ）および１（ｂ）に示されるように、包装本体１３が組み立てられた状態における上方である。
【００３９】
ベルト４０が包装本体１３に取り付けられる際には、まず、図１（ｂ）に「取付工程１」として示されるように、ベルト４０の一方の端部（左側の端部）が、包装本体１３の左側面を構成する領域６の第一の切れ込み２１を通じて、包装本体１３の外側から内側へ通され、ベルト４０の他方の端部（右側の端部）が、包装本体１３の右側面を構成する領域８の第三の切れ込み２３を通じて、包装本体１３の外側から内側へ通される。このとき、図１（ｂ）および図３に示されるように、ベルト４０は、包装本体１３の底面である領域７の下面（組み立てられた状態で外側となる面）に当接する。
【００４０】
次いで、図１（ｂ）に「取付工程２」として示されるように、ベルト４０の一方の端部が、領域６の第二の切れ込み２２を通じて、包装本体１３の内側から外側へ通され、ベルト４０の他方の端部が、領域８の第四の切れ込み２４を通じて、包装本体１３の内側から外側へ通されることによって、ベルト４０の包装本体１３への取付けが完了する。包装本体１３に取り付けられたベルト４０は、図１（ｂ）に示されるように、第一および第二の切れ込み２１，２２ならびに第三および第四の切れ込み２３，２４を通じて、部分的に、包装本体１３の内部（内側）に通された状態となる。
【００４１】
このように、本実施態様においては、包装本体１３の左右の側面である領域６および８にそれぞれ、上下方向に並ぶ第一および第二の切れ込み２１，２２ならびに第三および第四の切れ込み２３，２４が形成されているから、ベルト４０をジグザグに第一、第二の切れ込み２１，２２に通す（図１（ｂ）参照）ことによって、縫製することなく、ベルト４０を包装本体１３の領域６および８に簡単かつ着実に取り付けることができる。
【００４２】
一方、本実施態様においては、以下のようにして、包装本体１３を組み立てつつ、被包装物を包装する（包む）ことができる。
【００４３】
図４は、図１に示された実施態様にかかる包装本体１３が組み立てられる途中の状態を示す略斜視図であり、図４（ａ）は、包装本体１３が組み立てられる際に包装本体１３の各側面が持ち上げられ始めた状態を示す略斜視図であり、図４（ｂ）は、包装本体１３の領域２，４，１０および１２がそれぞれ２つ折りに折り畳まれた状態を示す略斜視図である。なお、図４においては、包装本体１３の内側（内部）に包装される被包装体は便宜上省略されている。
【００４４】
包装本体１３が組み立てられ、被包装物が包装される際には、まず、図２（ｂ）に示されるように、包装本体１３の内側の面が上方に向けられた状態で、その底面である領域７の上に被包装物が載置される。
【００４５】
次いで、図４（ａ）および図４（ｂ）に示されるように、包装本体１３の四側面である領域３，６，８および１１が略垂直に立ち上げられる。
【００４６】
このとき、領域２，４，１０および１２は、図２に一点鎖線で示されるように、略三角形状をなすように２つ折りに折り畳まれて、包装本体１３の内側（四側面によって囲われる部分）に位置する。
【００４７】
ここに、図３に淡いグレー色で示されるように、領域２，４，１０および１２の外側の面にはそれぞれ、併せて略Ｌ字状をなす２つの面ファスナー１９が設けられており、各領域２，４，１０および１２が２つ折りに折り畳まれる際に、２つの面ファスナー１９が互いに貼着されることによって、各領域２，４，１０および１２が２つ折りに折り畳まれた状態で保持される。本実施態様においては、被包装物（図２（ａ）参照）が包装され（包まれ）つつ、包装本体１３が組み立てられる際には、２つ折りに保持された領域２および４は、後ろ側面である領域３と被包装物の後ろ側面との間に位置し、領域１０および１２は、前側面である領域１１と被包装物の前側面との間に位置するように組み立てられる。
【００４８】
こうして、領域３，６，８および１１が略垂直に立ち上げられ、領域２，４，１０および１２が２つ折りに折り畳まれた後に、領域５が、領域６との境目部分を中心に下方に揺動され、領域９が、領域８との境目部分を中心に下方に揺動される。その結果、図１（ｂ）に破線で示された被包装物の上方が領域５および９によって覆われる。
【００４９】
次いで、包装本体１３の天面（蓋）である領域１が、後ろ側面を構成する領域３との境目部分を中心に前下方に揺動される。その結果、図１（ｂ）に示されるように、領域５および９が領域１によって覆われる。
【００５０】
最後に、領域１の前側の端部から僅かに連続的に延びる前垂れ部１４が、前側面を構成する領域１１の上部に取り付けられる。
【００５１】
具体的には、前垂れ部１４の内側の面に設けられた面ファスナー１５（図２（ａ）参照）が、領域１１の外側の面の上部に設けられた面ファスナー１６に貼着される。その結果、被包装物が包装本体１３によって包装された（包まれた）状態で保持される。
【００５２】
以上のようにして、包装本体１３が組み立てられつつ、被包装物が包装されると、ベルト４０の一方の端部に設けられたアジャスター４１に、他方の端部を通すことによって、肩掛けできるようにベルト４０を略環状に結ぶことができる（図１（ｂ）参照）。
【００５３】
ここに、略環状に結ばれたベルト４０が持ち上げられ、包装体１００が運搬される際には、包装本体１３の底面を構成する領域７は、図１（ｂ）にグレー色で示されたベルト４０によって下方から支持された状態となる。
【００５４】
このように、包装本体１３をベルト４０によって下方から支持することができるから、たとえば、特許文献１に示されるように、包装本体の互いに対向する２側面に、ベルトが縫着された場合に比して、包装本体１の底面である領域７およびその近傍の強度（耐久性）を大幅に向上させることができる。したがって、包装本体１３によって被包装物が包装された状態で、運搬者がベルト４０の上部（図１（ａ）および図１（ｂ）に示された状態における上部）を肩に掛け、運搬する間に、被包装物の重さが原因で、包装本体１３の底面を構成する領域７およびその近傍の部分が破損してしまうという事態を効果的に抑制することができる。
【００５５】
本実施態様によれば、図１（ｂ）に示されるように、ベルト４０（運搬用部材に相当）が、包装本体１３の底面を構成する領域７の下面に当接した状態で下面に沿って延び、かつ、包装本体１３の互いに対向する２つの側面の一方である左側面（第一の側面に相当）に形成された第一の切れ込み２１および第二の切れ込み２２を通じて、包装本体１３の内部（内側）に部分的に通され、互いに対向する２つの側面の他方である右側面（第二の側面に相当）に形成された第三の切れ込み２３および第四の切れ込み２４を通じて、包装本体１３の内部（内側）に部分的に通されることによって、ベルト４０を、縫着することなく包装本体１３に着実に取り付けることができ、したがって、包装体１００を短期間に容易に量産することができ、さらに、包装体１００の生産コストも低く抑えることができる。
【００５６】
加えて、本実施態様によれば、縫製を行わずにベルト４０に取付け可能なアジャスター４１が採用されているから、一切の縫製を行うことなく、包装体１００を生産することができる。
【００５７】
さらに、本実施態様によれば、図１（ｂ）および図３に示されるように、ベルト４０が、包装本体１３の底面の部分を構成する領域７の下面（外側の面）に当接した状態で、領域７の下面に沿って延びるように包装本体１３に取り付けられており、包装本体１３の領域７が、ベルト４０によって下方から支持されるから、包装本体１３の領域７およびその近傍の部分の強度を確保することができ、被包装物の重みを原因として、包装本体１３の底面およびその近傍部分が破損するという事態を効果的に抑制することができる。
【００５８】
また、本実施態様によれば、図１（ａ）に示されるように、ベルト４０が通される第一の切れ込み２１の上方の位置に第二の切れ込み２２が形成され、ベルト４０が通される第三の切れ込み２３の上方の位置に第四の切れ込み２４が設けられているから、第一の切れ込み２１と第二の切れ込み２２の前後方向（図１（ａ）参照）の位置を異にして配置し、第三の切れ込み２３と第四の切れ込み２４の前後方向の位置を異にして配置した場合に比して、被包装物の重量によって、又は運搬者が運搬用部材を引っ張り上げたことによって、包装本体１３の左右の側面を構成する領域６および８にかかる負荷を軽減させることができる。
【００５９】
さらに、本実施態様によれば、包装本体１３が、略平面状に広げられた状態から略直方体状をなす状態に組み立てることができ、略直方体状をなす状態から略平面状に広げられた状態に展開できるように構成されているから、包装体１００を使用しないときに嵩張らない。
【００６０】
また、本実施態様によれば、包装本体１３が組み立てられた状態で、その隣り合う側面間、すなわち、領域６と領域３、領域３と領域８、領域８と領域１１、および領域１１と領域６とを繋ぐ領域２，４，１２および１０を備えているから、略平面状に広げられた状態から組み立てられる包装本体１３においても、包装本体１３の内側と外側との間で、側面間から熱交換が生じる事態を効果的に防止することができる。
【００６１】
一方、図５（ａ）は、本考案の他の好ましい実施態様にかかる包装体１００の略斜視図であり、図５（ｂ）は、図５（ａ）に示された実施態様にかかる包装本体１３の外側の面を示す展開図である。
【００６２】
図５（ａ）に示されるように、本実施態様においては、包装体１００は、左右の側面である領域６および８からそれぞれ、１本のベルト４０が略逆「Ｕ」字状にＵターンするように上下方向（図５（ａ）における上下方向）に延びた構造を有しており、運搬者がトートバッグのような感覚で被包装物を容易に運搬できるように構成されている。したがって、前記実施態様に示された包装体１００よりも前後方向に安定して被包装物を運搬することができる。
【００６３】
図５（ａ）および図５（ｂ）に示されるように、包装本体１３の左側面を構成する領域６には、第一の切れ込み２１および第二の切れ込み２２に加え、第五の切れ込み２５および第六の切れ込み２６が形成されている。
【００６４】
また、図５（ｂ）に示されるように、包装本体１３の右側面を構成する領域８には、第三の切れ込み２３および第四の切れ込み２４に加え、第七の切れ込み２７および第八の切れ込み２８が形成されている。
【００６５】
１本のベルト４０が本実施態様にかかる包装本体１３に取り付けられる際には、まず、ベルト４０の一方の端部が、包装本体１３の左側面を構成する領域６の第六の切れ込み２６を通じて包装本体１３の内側に通された後に、第五の切れ込み２５を通じて包装本体１３の外側に通される。
【００６６】
次いで、包装本体１３の右側面を構成する領域８の第七の切れ込み２７を通じて包装本体１３の内側に通された後に、第八の切れ込み２８を通じて包装本体１３の外側に通される。
【００６７】
こうして、ベルト４０が包装本体１３の前部に取り付けられた後に、ベルト４０のかかる一方の端部が、第四の切れ込み２４を通じて包装本体１３の内側に通された後に、第三の切れ込み２３を通じて包装本体１３の外側に通される。
【００６８】
最後に、ベルト４０のかかる一方の端部が、領域６の第一の切れ込み２１を通じて包装本体１３の内側に通された後に、第二の切れ込み２２を通じて包装本体１３の外側に通されることによって、ベルト４０が、包装本体１３の後部にも取り付けられる。
【００６９】
以上のようにして、ベルト４０が包装本体１３に取り付けられると、ベルト４０の他方の端部に設けられたアジャスター４１に、一方の端部が通されることによって、ベルト４０が略楕円状に結ばれる（図５（ｂ）参照）。なお、包装本体１３を組み立てつつ、被包装物を包装する方法については、以下の１点を除き、前記実施態様の場合と同様にして行うことができる。
【００７０】
図５（ｂ）に示されるように、本実施態様においては、包装本体１３の遮蔽部として機能する領域２，４，１０および１２にはそれぞれ、前記実施態様の面ファスナー１９に代えて、２本の両面テープ１７，１８が互いに略平行に延びるように取り付けられており、包装本体１３が組み立てられる際に、各領域２，４，１０および１２が２つ折りに折り畳まれた状態で両面テープ１７，１８によって保持される。つまるところ、本実施態様においては、包装本体１３は、略平面状に広げられた状態から略直方体状に組み立てることは可能であるが、略平面状に展開することはできないように構成されている。
【００７１】
本考案は、以上の実施態様に限定されることなく、実用新案登録請求の範囲に記載された考案の範囲内で種々の変更が可能であり、それらも本考案の範囲内に包含されるものであることはいうまでもない。
【００７２】
たとえば、図１ないし図４に示された実施態様においては、図１（ｂ）に示されるように、ベルト４０の両端部がそれぞれ、包装本体１３の左右の側面である領域６および８の第一の切れ込み２１または第三の切れ込み２３を通じて包装本体１３の内側に通された後に、第二の切れ込み２２または第四の切れ込み２４を通じて包装本体１３の外側に通されることによって、ベルト４０が包装本体１３に取り付けられているが、ベルト４０が包装本体１３に形成された各切れ込み２１ないし２４に通される順序はこれに限られない。
【００７３】
したがって、たとえば、ベルト４０の一方の端部を、第二の切れ込み２２を通じて包装本体１３の外側（外部）から内側（内部）に通した後に、第一の切れ込み２１を通じて包装本体１３の内側から外側に通し、その後に、第三の切れ込み２３を通じて包装本体１３の外側から内側に通した後に、第四の切れ込み２４を通じて包装本体１３の内側から外側に通すことによって、ベルト４０を包装本体１３に取り付けてもよい。
【００７４】
さらに、図１ないし図４に示された実施態様においては、ベルト４０が包装本体１３に取り付けられた結果、図１（ｂ）に示されるように、上方に引っ張られたベルト４０の各端部が、包装本体１３の上方に位置しているが、ベルト４０の各端部はそれぞれ、包装本体１３の側方、下方、または包装本体の内側（内部）に位置してもよい。
【００７５】
さらに、図１ないし図４に示された実施態様においては、包装本体１３に取り付けられる運搬用部材として、ベルト４０が用いられているが、運搬用部材としてベルト状の部材を用いることは必ずしも必要でなく、運搬用部材として紐状の部材を用いてもよい。この場合には、包装本体の対向する２側面に、切れ込みでなく、紐状の部材の断面形状に合わせた開口部を形成することによって、開口部に通された運搬用部材によって、かかる開口部を塞ぐことができ、開口部を通じて包装本体の内側と外側（内部と外部）との間で熱交換が生じる事態を効果的に抑制することができる。
【００７６】
加えて、図１ないし図４に示された実施態様においては、包装本体１３の左右の側面である領域６および８にそれぞれ、切れ込みが２つずつ形成されているが、切れ込み又は開口が２つ設けられることは必ずしも必要でなく、３つ以上の切れ込み又は開口を形成し、運搬用部材を通す切れ込み又は開口を選択できるように構成してもよく、また、互いに上下方向に並ぶ４つ以上（偶数個）の切れ込みを形成し、何度もジグザグに運搬用部材を包装本体の側面に通してもよい。この場合には、運搬用部材を包装本体の側面に何度もジグザグに通すことによって、運搬用部材が引張されたときの包装本体に対するベルトのズレ（摺動）を抑制することができる。
【００７７】
さらに、図１ないし図４に示された実施態様においては、包装本体１３は、被包装物として、食品および保冷剤が収容された発泡スチロールの箱が用いられており、発泡スチロールの箱が剛性を有するため、包装本体１３自体に剛性を持たせる必要がなく、薄いシートによって形成されているが、包装本体は、木材、紙、布、段ボール板、樹脂、金属などの他の素材によって形成されてもよい。したがって、包装本体を、たとえば、耐水性、剛性および断熱性を有する素材によって形成した場合には、被運搬物を運搬するために、別途、耐水性や剛性、断熱性を有する発泡スチロールなどの箱を用意する必要がなく、包装本体１３の内部（内側）に、直接、食品などの被運搬物と保冷剤または蓄熱材とを収容し、運搬することが可能になる。また、このように、剛性を有する素材で包装本体を形成した場合には、面ファスナーや両面テープを用いることなく、包装本体の形状を保持することができる。さらに、包装本体１３の素材として、段ボール板を用いた場合には、段ボール板のすべての切断面を内側に折り曲げて形成することによって、完成した包装本体の見栄えを良くすることができるとともに、段ボール板の断面が露出する部分からゴミなどが段ボール板の内部に混入することを防止することができる。
【００７８】
また、図１ないし図５に示された各実施態様においては、組み立てられた際に、包装本体１３が略直方体状をなすように構成されているが、包装本体を略直方体状に構成することは必ずしも必要でなく、たとえば、六角柱状などの形状をなすように構成してもよい。加えて、包装本体１３を組み立て式に構成することは必ずしも必要でない。
【符号の説明】
【００７９】
１  領域
２  領域
３  領域
４  領域
５  領域
６  領域
７  領域
８  領域
９  領域
１０  領域
１１  領域
１２  領域
１３  包装本体
１４  前垂れ部
１５  面ファスナー
１６  面ファスナー
１７  両面テープ
１８  両面テープ
１９  面ファスナー
２１  第一の切れ込み
２２  第二の切れ込み
２３  第三の切れ込み
２４  第四の切れ込み
２５  第五の切れ込み
２６  第六の切れ込み
２７  第七の切れ込み
２８  第八の切れ込み
４０  ベルト
４１  アジャスター
１００  包装体
【図１】
0003232178.tif 000003
【図２】
0003232178.tif 000004
【図３】
0003232178.tif 000005
【図４】
0003232178.tif 000006
【図５】
0003232178.tif 000007